Podtech/llm-jp-corpus-v4-ja_patent huggingface dataset:
(57)【要約】【課題】パターンのＭｏＳｉ系膜、Ｃｒ系膜の、ＡｒＦエキシマレーザの照射による劣化を防止し、パターン寸法、パターン形状、位相差、透過率に変化のないフォトマスクの製造方法を提供する。【解決手段】ＭｏＳｉ系膜又はＣｒ系膜が設けられた基板１上にレジストパターンを形成し、上記膜をエッチングした後にレジストパターンを剥離し、形成されたＭｏＳｉ系膜又はＣｒ系膜のパターン２にプラズマ処理を施すこと。プラズマ処理の代わりにＵＶ照射又は加熱を施すこと。【選択図】図１
2010217514.tif 000002
【特許請求の範囲】
【請求項１】
ＭｏＳｉ系膜又はＣｒ系膜が設けられた基板上にレジストパターンを形成し、該レジストパターンから露出したＭｏＳｉ系膜又はＣｒ系膜をエッチングした後にレジストパターンを剥離し、形成されたＭｏＳｉ系膜又はＣｒ系膜のパターンに、ＡｒＦエキシマレーザの照射による上記パターンの膜に劣化が生じることを防止するためのプラズマ処理を施すことを特徴とするフォトマスクの製造方法。
【請求項２】
前記プラズマ処理と同様の効果が得られる方法として前記パターンへのＵＶ照射又は加熱を施すことを特徴とする請求項１記載のフォトマスクの製造方法。
【発明の詳細な説明】
【技術分野】
【０００１】
本発明は、フォトマスクの製造方法に関するものであり、特に、ＡｒＦエキシマレーザの照射にる膜の劣化を防止したフォトマスクの製造方法に関する。
【背景技術】
【０００２】
半導体集積回路の製造に用いられるリソグラフィ工程にて、露光光源としてＡｒＦエキシマレーザを利用すると、フォトマスクのパターンに用いられている材料であるＭｏＳｉ系膜、Ｃｒ系膜に劣化が生じる。ＡｒＦエキシマレーザの照射によって、パターン寸法の変化、パターン形状の変化、また、位相差、透過率などの光学特性の変化等の問題が発生する。
また、Ｃｒ系膜においては、洗浄時の薬液処理により膜に劣化が生じるといった問題が発生する。
【先行技術文献】
【特許文献】
【０００３】
【特許文献１】特許第３１７９５３２号
【発明の概要】
【発明が解決しようとする課題】
【０００４】
本発明は、上記の問題を解決するためになされたものであり、フォトマスクのパターンのＭｏＳｉ系膜、Ｃｒ系膜が、ＡｒＦエキシマレーザの照射によって劣化が生じるを防止し、パターン寸法、パターン形状、及び、位相差、透過率に変化のないフォトマスクを製造することのできるフォトマスクの製造方法を提供することを課題とする。
【課題を解決するための手段】
【０００５】
本発明は、ＭｏＳｉ系膜又はＣｒ系膜が設けられた基板上にレジストパターンを形成し、該レジストパターンから露出したＭｏＳｉ系膜又はＣｒ系膜をエッチングした後にレジストパターンを剥離し、形成されたＭｏＳｉ系膜又はＣｒ系膜のパターンに、ＡｒＦエキシマレーザの照射による上記パターンの膜に劣化が生じることを防止するためのプラズマ処理を施すことを特徴とするフォトマスクの製造方法である。
【０００６】
また、本発明は、上記発明によるフォトマスクの製造方法において、前記プラズマ処理と同様の効果が得られる方法として前記パターンへのＵＶ照射又は加熱を施すことを特徴とするフォトマスクの製造方法である。
【発明の効果】
【０００７】
本発明は、ＭｏＳｉ系膜又はＣｒ系膜が設けられた基板上にレジストパターンを形成し、該レジストパターンから露出したＭｏＳｉ系膜又はＣｒ系膜をエッチングした後にレジストパターンを剥離し、形成されたＭｏＳｉ系膜、Ｃｒ系膜のパターンに、プラズマ処理を施すので、フォトマスクのパターンのＭｏＳｉ系膜、Ｃｒ系膜が、ＡｒＦエキシマレーザの照射によって劣化されるのが防止され、パターン寸法、パターン形状、及び、位相差、透過率に変化のないフォトマスクの製造方法となる。
【図面の簡単な説明】
【０００８】
【図１】（ａ）は、形成された直後のＭｏＳｉ系膜又はＣｒ系膜のパターンの断面図である。（ｂ）は、図１（ａ）に示すパターンへのプラズマ処理後の断面図である。
【発明を実施するための形態】
【０００９】
以下に、本発明によるフォトマスクの製造方法を、その実施の形態に基づいて説明する。
本発明は、フォトマスクの製造におけるプロセス工程にて、遮光膜などのエッチング後に、レジストパターンが剥離され、形成されたＭｏＳｉ系膜又はＣｒ系膜のパターンに、ＡｒＦエキシマレーザの照射による膜の劣化を防止するためのプラズマ処理を施すことを特徴としている。
図１（ａ）は、形成された直後のＭｏＳｉ系膜又はＣｒ系膜のパターンの断面図である。また、図１（ｂ）は、図１（ａ）に示すパターンへのプラズマ処理後の断面図である。
【００１０】
図１（ｂ）に示すように、基板（１）上のパターン（２）の表面は不動態膜（３）で覆われている。プラズマ処理によって、ＭｏＳｉ系膜、Ｃｒ系膜の表面は不動態化し不動態膜（３）となる。この不動態膜（３）は、ＡｒＦエキシマレーザ、及びＡｒＦエキシマレーザにより生成されるオゾンとの反応性が低く、ＡｒＦエキシマレーザやＫｒＦエキシマレーザなどＤＵＶ光の照射に対する耐性が向上し、膜の劣化が防止されるものと推量している。
【００１１】
また、Ｃｒ系膜においては、Ｃｒ系膜の表面が不動態化し不動態膜（３）となることによって、薬液処理に対する耐性が向上するためと推量される。
また、プラズマ処理と同様の効果が得られる方法として前記パターンへのＵＶ照射又は加熱を施すことにより、上記不動態化が促進される。尚、プラズマ処理の際に導入されるガスとしては、例えば、Ｏ2 、Ｈ2 Ｏが挙げられる。
【符号の説明】
【００１２】
１・・・基板
２・・・パターン
３・・・不動態膜
【図１】
2010217514.tif 000003
(57)【要約】【課題】従来健常者と視覚障害者が同じ音楽グループで演奏するには、リズムを合わせるために介助者や音を発するものを用いていた．地域の団体や生涯学習センターなどには多数の音楽グループが存在するが、視覚障害者がそれらのグループに参加することは難しいものであった．【解決手段】本発明の電子指揮棒は、指揮者の動きを加速度センサなどの運動覚センサによりセンシングし、演奏者にセンシングしたデータを無線で送り、受信機で受けたそのデータを小型の振動モータ等の触圧刺激体で演奏者に伝えることで、健常者と視覚障害者を区別することなく、同じ音楽グループでコーラスや演奏を楽しむことができる．【選択図】図１
2010217850.tif 000002
【特許請求の範囲】
【請求項１】
指揮者の動きを運動覚センサ，すなわち，加速度センサもしくは変位センサもしくは角速度センサもしくは角加速度センサもしくは角度センサあるいはそれらの幾つかの組合せによってセンシングし、リズムをとらえて演奏者に伝える電子指揮棒．
【請求項２】
指揮者の動き信号を無線によって伝送し，受信機をもつ演奏者に指揮情報を伝えるコードレスの電子指揮棒．
【請求項３】
３軸もしくは２軸の運動覚センサを同一・２つ内蔵することで、それぞれの信号の和をとることにより上下左右の並進動作を、それぞれの信号の差をとることにより回転動作をセンシングする電子指揮棒．
【請求項４】
指揮者の腕手や指揮者のもつ指揮棒の動きをデータとして伝送し，受信機で受けた該データによって演奏者が着帯する小型振動モータもしくは触圧刺激体もしくは光点滅器あるいはそれらの組合せ体を働かせ、指揮情報を伝える刺激発生型の効果器をもつ電子指揮棒．
【請求項５】
指揮棒に取り付けた電導スイッチを指揮者が導通もしくは遮断することにより信号波を発生させ、音楽では重要な音を適度に伸ばすことを意味するフェルマータや警告を該信号に対応させ、指揮者の意図を演奏者に伝えることを可能とした電子指揮棒．
【請求項６】
指揮者、演奏者に携帯が必須の無線機用送信、受信アンテナには、柔軟にして見栄えや違和感をなくすことのできる布式アンテナを着帯可能とした電子指揮棒．
【発明の詳細な説明】
【技術分野】
【０００１】  本発明は、指揮者の動きを健常者を含め視覚に障害を持った演奏者に無線で伝達することで、健常者と区別することなく、コーラスや器楽演奏が楽しめるシステムを提供する．
【背景技術】
【０００２】  従来から健常者と視覚障害者がコーラスや演奏を行う場合、指揮者の動きとは別に介助者、メトロノームやカスタネットなどの音の出るものを使いリズムを合わせることで演奏を行っていた．しかし、介助者による以外は音楽のほかにリズムを合わせるための音が発する器具が必要で、演奏の妨げになっている．
【発明の概要】
【発明が解決しようとする課題】
【０００３】健常者と視覚障害者が同じ舞台で演奏することは、ほとんどなく、健常者または視覚障害者はそれぞれの音楽グループに属し、演奏を行うのが一般的である．【０００４】健常者と視覚障害者が同じ音楽グループで演奏する場合、指揮者の動きのほかにリズムや音の長さを合わせるために、メトロノームやカスタネットなど音の出るものを使っている．【０００５】生涯学習センターなど、健常者を主体としたコーラスや音楽グループはあるが、視覚障害者が同じ音楽グループで演奏することは難しい．聴覚障害者も同様である．
【課題を解決するための手段】
【０００６】上記の課題を解決するために、健常者と視覚障害者の区別をすることなく、指揮者の動きを運動覚センサ（加速度センサ等）でセンシングし、演奏者の受信機に無線で送り、演奏者が着帯している小型振動モータもしくは触圧刺激体もしくは発光器に伝達することで、妨害音を発することなく、指揮に合わせてリズムや音の長さをとらえて演奏することができる．
それにより、視覚障害者や高齢者が演奏を楽しむことを推進することができる．
【発明の効果】
【０００７】本発明によれば、次のような効果が得られる．
（１）視覚障害者の合唱、器楽合奏が可能になる．
（２）健常者と視覚障害者が同じ音楽グループで演奏することができる．
（３）指揮者は健常者と視覚障害者を区別することなく、指揮を取ることができる．
（４）健常者と視覚障害者が一緒に演奏する際に、リズムを合わせるための介助やリズム音を参照することなく演奏することができる．
【図面の簡単な説明】
【０００８】
【図１】図１は全体のブロック図であり、指揮者の指揮の動きを運動覚センサの一つである加速度センサでセンシングし、送信機を使って無線でセンシングしたデータを送信し、演奏者は受信機にて指揮者からのデータを受信し、リズムデータに変換して小型モータを振動させて、演奏者にリズムや音の長さを伝える例である．
【図２】図２は指揮棒の持ち手で部分の構造であり、電子指揮棒の形態は実際の指揮棒とほとんど変わらない大きさ重さで製作する。持ち手の一部にフェルマータボタンを設ける．持ち手の内部には３軸の加速度センサを２つ内蔵することで、上下左右、回転の動きをセンシングする例である．
【図３】図３は指揮棒の動きを表したもので、指揮者の指揮の動きとして考えられるものは、持ち手を支点とし、先端を上向き下向きする動き、持ち手を水平にしたまま上下の動き、同様に左右の動き、また持ち手を回転させる動きが考えられる．これらの動きは３軸加速度センサを２つ内蔵することでセンシングすることが可能である．
【図４】図４は演奏者側の伝達部分を表したもので、演奏者の小型モータは演奏者の手首部に取り付ける．ブレスレットとしてその内側に２つ以上の小型振動モータを取り付けた例である．指揮者の動きと、フェルマータ（音の長さ）を小型振動モータを震わせることで、演奏者に伝える．
【符号の説明】
【０００９】１、指揮棒の先端（グラスファイバ）
２、フェルマータボタン
３、電子指揮棒筐体
４、加速度センサ
５、指揮の静止状態
６、指揮の動作状態（上向き状態）
７、指揮の動作状態（下向き状態）
８、指揮の動作状態（水平に上げた状態）
９、演奏者用ブレスレット
１０、小型振動モータ
１１、手首
【図１】
2010217850.tif 000003
【図２】
2010217850.tif 000004
【図３】
2010217850.tif 000005
【図４】
2010217850.tif 000006
【手続補正書】
【提出日】平成21年7月7日(2009.7.7)
【手続補正１】
【補正対象書類名】特許請求の範囲
【補正対象項目名】請求項３
【補正方法】変更
【補正の内容】
【請求項３】
３軸もしくは２軸の運動覚センサを同一・２つ内蔵することで、それぞれの信号の和をとることにより上下左右の並進動作を、もしくはそれぞれの信号の和を加加速度変換することにより上下左右の並進ジャーク動作を、または、それぞれの信号の差をとることにより回転動作をセンシングする電子指揮棒．
(57)【要約】【課題】少ない部品点数で電源回路を構成でき、コストを低減できるとともに装置を小さくできる金属検知装置を提供する。【解決手段】金属検知装置１は、商用電源８を電源とする電気ドリル２を使用して壁３や床、地面などに穴を開ける際に埋設された金属体４を損傷させないように検知する検知回路６を有し、商用電源電圧を降圧する降圧トランス９の二次側端子間に整流ダイオード１２と定電圧ダイオード１３とを逆直列接続して成る電源回路７により検知回路６に電源を供給する。【選択図】図１
2010217131.tif 000002
【特許請求の範囲】
【請求項１】
商用電源を電源とする電動工具を使用する際に埋設された金属製物体を損傷させないように検知回路により検知する金属検知装置において、前記検知回路に電源を供給する電源回路は商用電源電圧を降圧する降圧トランスの二次側端子間に整流ダイオードと定電圧ダイオードとを逆直列接続して成ることを特徴とする金属検知装置。
【発明の詳細な説明】
【技術分野】
【０００１】
本発明は、電気ドリル等の電動工具を使用して壁や床、地面に穴を開ける際に水道管やガス管等の金属体に接触したことを検知する金属検知装置に関する。
【背景技術】
【０００２】
従来から電気ドリル等の電動工具を使用して建築物の壁や床、地面等に穴を開ける際に埋設されている水道管やガス管等を損傷させないために金属検知装置が用いられている。金属検知装置は電気ドリルの刃が水道管やガス管等の接地処理して埋設された金属体に接触したことを検知回路が検知して電気ドリルの電源を遮断したり、警報ブザーを発するようになっているが、検知回路に供給される電源電圧の変動に伴って検知感度が変動してしまい水道管やガス管等が検知できずに損傷させてしまう問題があった。これを解決する手段としては例えば特許文献１に記載の技術があり、この金属検知装置は、検知回路に電源を供給する電源回路が全波整流器と平滑コンデンサと定電圧ダイオードとで構成し、降圧トランスの二次側端子間に全波整流回路が接続され、全波整流回路の出力端子間に平滑コンデンサと定電圧ダイオードが並列に接続されている。そして商用交流電源を降圧トランスにより降圧し、この降圧トランスにより降圧された電圧を電源回路により直流の一定電圧を生成して検知回路に供給するようになっていた。
【先行技術文献】
【特許文献】
【０００３】
【特許文献１】特開２００３−２１５２６３号公報
【発明の概要】
【発明が解決しようとする課題】
【０００４】
しかしながら、従来の金属検知装置は電源回路を構成する部品点数が多いため、コストが高くなってしまい、また、装置が大きくなってしまうという欠点があった。
【課題を解決するための手段】
【０００５】
本発明によれば、商用電源を電源とする電動工具を使用する際に埋設された金属製物体を損傷させないように検知回路により検知する金属検知装置において、検知回路に電源を供給する電源回路は商用電源電圧を降圧する降圧トランスの二次側端子間に整流ダイオードと定電圧ダイオードとを逆直列接続して成ることを特徴とする。
【発明の効果】
【０００６】
本発明によれば、少ない部品点数で電源回路を構成でき、コストを低減できるとともに装置を小さくできるという効果がある。
【図面の簡単な説明】
【０００７】
【図１】本発明に係る金属検知装置のブロック図である。
【発明を実施するための形態】
【０００８】
金属検知装置は、商用電源を電源とする電動工具を使用して壁や床、地面などに穴を開ける際に埋設された金属体を損傷させないように検知する検知回路を有し、商用電源電圧を降圧する降圧トランスの二次側端子間に定電圧ダイオードと整流ダイオードとを逆直列接続して成る電源回路により検知回路に電源を供給する。
【実施例１】
【０００９】
本発明に係る金属検知装置の実施例１を図１の添付図面に基づいて説明する。
【００１０】
金属検知装置１は電気ドリル２等の電動工具を使用して建築物の壁３や床、地面等に穴を開ける際に埋設されている水道管やガス管、電線や電話線を配線した金属管等の金属体４を損傷させないように検知するものであり、例えば、電気ドリル２の電源を延長するために用いられるコードリール５等に設けられ、金属体４を検知する検知回路６と、検知回路６に電源を供給する電源回路７とを備えている。
【００１１】
電源回路７は商用電源８に接続された降圧トランス９と、降圧トランス９の二次側の電源ライン１０に整流ダイオード１２のアノードを接続し、降圧トランス９の二次側のグランドライン１１に定電圧ダイオード１３のアノードを接続し、整流ダイオード１２と定電圧ダイオード１３のカソード同士を接続して降圧トランス９の二次側端子間に逆直列接続した整流ダイオード１２と定電圧ダイオード１３とで成り、商用電源電圧を降圧トランス９により降圧し、降圧トランス９により降圧された電圧を整流ダイオード１２と定電圧ダイオード１３とで一定電圧にして検知回路６に出力している。
【００１２】
検知回路６は一端が電源回路７の電源ライン１０に接続され、他端に電気ドリル２の接地線１４が接続されている。そして、水道管やガス管等の接地処理された金属体４に電気ドリル２が接触すると閉回路が構成され、所定の抵抗値以下になるとフォトカプラ１５がオンし、電気ドリル２が金属体４に接触したことを検知する。そして、検知回路６が金属体４を検知してフォトカプラ１５がオンすると漏電遮断器１６に信号を出力し、漏電遮断器１６を動作させることで電路をオフして電気ドリル２への電源供給を遮断し、また、ブザー１７を鳴動させて異常を知らせるようになっている。
【００１３】
なお、スイッチ１８をａの位置にすることで検知回路６が金属体４を検知したときに漏電遮断器１６とブザー１７が作動するように設定でき、スイッチ１８をｂの位置にすることで検知回路６が金属体４を検知したときに漏電遮断器１６とブザー１７が作動しないように設定でき、スイッチ１８をｃの位置にすることで検知回路６が金属体４を検知したときにブザー１７だけを作動するように設定できる。
【００１４】
このように構成した金属検知装置１は、商用電源電圧が変動した場合でも電源回路７により一定電圧が検知回路６に供給されるので、検知回路６は感度が変動することなく、安定して金属体４を検知することができる。
【符号の説明】
【００１５】
１    金属検知装置
２    電気ドリル
３    壁
４    金属体
５    コードリール
６    検知回路
７    電源回路
８    商用電源
９    降圧トランス
１０    電源ライン
１１    グランドライン
１２    整流ダイオード
１３    定電圧ダイオード
１４    接地線
１５    フォトカプラ
１６    漏電遮断器
１７    ブザー
【図１】
2010217131.tif 000003
(57)【要約】      （修正有）【課題】粉塵・悪臭を効率よく集塵、捕集する、産業廃棄物となる使い捨てのフィルターを必要としない、低ランニングコストの水循環フィルター式の集塵・脱臭機を提供する。【解決手段】水を溜めるアウターケース（１）、粉塵・臭気を効率よく処理する構造を施したインナーケース（２）、以上の構成を特徴とする水循環フィルター式集塵・脱臭機で、フィルターとして使用する水が循環する装置に中に粉塵・悪臭を含む空気を通過させる。【選択図】図２
2010120002.tif 000002
【特許請求の範囲】
【請求項１】
水を循環させながらフィルターとして使用する構造の集塵・脱臭機
【発明の詳細な説明】
【技術分野】
【０００１】この発明は粉塵・悪臭を水循環フィルターで集塵・捕集するものに関するものである。
【背景技術】
【０００２】従来、粉塵・悪臭を簡単な構造で連続的に効率よく、また低ランニングコストの集塵・脱臭機は見当たらなかった。
【発明の開示】
【発明が解決しようとする課題】
【０００３】従来、集塵機、脱臭機といえば高価な使い捨てフィルタータイプの集塵機が支流であった。また、水フィルタータイプもあったが、やはり高価でかつ、大型で複雑な構造であった。
本発明は、以上のような欠点をなくすためになされたものである。
【課題を解決する手段】
【０００４】粉塵・臭気を効率よく水と接触させるためにフィルター状の素材を通り抜けるようになっている部分と、またそれを連続的に行うために目詰まりしないようにフィルターとして使用する水が循環する構造になっている。
【発明の効果】
【０００５】効率よく集塵・捕集するため作業環境の改善ができた。使い捨てのフィルターを必要としないため、ランニングコストも抑えられた。また、産業廃棄物となっていた使い捨てフィルターが無くなった。簡単な構造のため比較的安価で作ることができた。
【発明を実施するための最良の形態】
【０００６】水を溜めるアウターケース（１）に水を入れ、その中に粉塵・臭気を効率よく処理するために、粉塵。悪臭がフィルター状の素材を通り抜ける構造を施したインナーケース（２）をセットする。この装置の中に粉塵・悪臭を含む空気を通過させればよい。通過させるための送風機、吸引装置の駆動源はとくに限定しない。また、アウターケース、インナーケースの形状、大きさは変更可能。
【図面の簡単な説明】
【０００７】
【図１】本発明の概観図である。（ａ）アウターケース、（ｂ）インナーケース
【図２】本発明のインナーケース内部断面図である。
【符号の説明】
【０００８】  １  アウターケース
２  インナーケース
【図１】
2010120002.tif 000003
【図２】
2010120002.tif 000004
(57)【要約】      （修正有）【課題】高齢化社会を向かえ、停年退職後も、夫婦円満に暮らしていける様、男性器の固さを増す目的のクリームを提供する。【解決手段】トラネキサム酸を配合する事により作用を増強し、さらにより機能面充実のために、グルタミン酸を加えた組成物であり、又、視覚的な効果も夫婦生活には必要と考え、本クリームに魚のうろこを加える。【選択図】なし【特許請求の範囲】
【請求項１】
男性器に塗る固さアップのクリームに、トラネキサム酸を配合し、さらにグルタミン酸を加える事により、ひきしめ効果（固さ）アップが実限できる。
【請求項２】
男性器に塗る固さアップの目的のためのクリームに、視覚的効果をねらい、魚のうろこを加える事により、黒光りさせたくましさを感じさせる。
【発明の詳細な説明】
【技術分野】
【０００１】本発明は、固さを増す目的で男性器に塗布するクリームにトラネキサム酸とグルタミン酸を加え引きしめ効果により機能面の固さをアップさせ、さらに魚のうろこを加える事により、視覚的に黒光りさせ、たくましさを感じさせ夫婦生活をより円満にする事を目的とするものである。
【背景技術】
【０００２】従来、男性器に塗布し固さを増す目的のクリームが市販されている。さらに新しい試みとして、先日、引きしめ効果増強のトラネキサム酸を配合する処方を特許庁に提出した。ドラッグストア等で販売されているゼリーは、なめても良いとの記載がされているので、味はどうしようかと考え、「味の素」からグルタミン酸を配合することを考え、トラネキサム酸の作用増強による固さアップを考えた。そして精神的に本人もパートナーも満足のいくように視覚的効果から、魚のウロコによる黒光りを考案した。
使用する魚であるが本発明の目的の１つである視覚的効果のたくましさを強調するため魚の中でも評価の高いタイを使用する事が望ましいと考える。本品が製品化された時、外箱及び本体に「タイのうろこ」と記載されている事により、より高級感、たくましさが感じられるはずである。
【発明の開示】
【発明が解決しようとする課題】
【０００３】男性器に塗布するクリームにおいて、機能面の充実だけでなく、視覚的効果も考えた。魚のうろこを用いる際に臭みを緩和するため、クエン酸を少量添加する。
【課題を解決するための手段】
【０００４】本発明は男性器に塗布するクリームにおいて、引きしめ効果による機能面増強だけでなく、本人及びパートナーが魚のうろこによる黒光り効果によって、視覚的にたくましさを感じ、より自信を持った性生活がおくれるように考案したものである。【０００５】（実験）
市販の引きしめ効果のあるクリームにトラネキサム酸とグルタミン酸を加え、さらに魚（タイ）のうろこと少量のクエン酸を加え試作品をつくった。
くわしい実験は後日研究所に依頼する予定。
【発明の効果】
【０００６】男性器に塗布するクリームに、機能面の固さだけでなく、精神的に視覚効果をねらい、威厳を感じさせる事により、本人及びパートナーがより満足のいく性生活をおくることができる。
【発明を実施するための最良の形態】
【０００７】男性器の固さを増す目的のクリームにトラネキサム酸を加え、その作用増強のためにグルタミン酸を加える。【０００８】視覚的効果により、本人及びパートナーに威厳を感じさせるため、魚のうろこ配分により、黒光り効果を実限
【実施例】
【０００９】研究所の実験後に実施予定
【産業上の利用可能性】
【００１０】夫婦生活円満により、少子化対策及び、高齢者の精神的肉体的若返り効果が期待できる。
(57)【要約】【課題】筆記用具に表現力の高いメッセージ機能を付加することができる方法を提供すること。【解決手段】１つもしくは複数の円筒体（１）に文字・記号・イラスト等を印刷したラベル（２）を貼り付け、筆記用具の外形を構成する透明な外側筒状部（３）内部とインクパイプ（４）の間の空間に、円筒体（１）の内部にインクパイプ（４）を通すようにして、円筒体（１）を配置することを特徴とする。【選択図】図２
2010120361.tif 000002
【特許請求の範囲】
【請求項１】
（イ）１つもしくは複数の円筒体（１）に文字・記号・イラスト等を印刷したラベル（２）を貼り付ける。
（ロ）筆記用具の外形を構成する透明な外側筒状部（３）内部とインクパイプ（４）の間の空間に、上記円筒体（１）内部にインクパイプ（４）を通すようにして、円筒体（１）を配置する。
以上の構成よりなる、メッセージ機能付筆記用具。
【発明の詳細な説明】
【技術分野】
【０００１】  本発明は、筆記用具の内部に、文字・記号・イラスト等を印刷したラベル（２）を貼り付けた円筒体（１）を配置した、メッセージ機能付筆記用具に関するものである。
【背景技術】
【０００２】  従来、筆記用具でメッセージを表記する方法としては、筆記用具の表面に、文字、記号や図絵を印刷するものや、それらを印刷したラベルを貼り付けるものがあった。
【発明の開示】
【発明が解決しようとする課題】
【０００３】  しかしながら、上記従来の方法には次のような欠点があった。
従来の方法では、筆記用具の表面に印刷、もしくは印刷したものを貼り付けるという方法であったため、筆記用具の使用とともに表面の文字、記号や図絵も磨耗していってしまう。【０００４】  また、筆記用具の特定の箇所に文字、記号や図絵も固定されてしまうため、メッセージの表現性としてはおのずと限界が生じてしまう。
本発明は以上のような欠点をなくすためになされたものである。
【課題を解決するための手段】
【０００５】  本発明は、上記課題を解決するため、以下の手段を採用する。
（イ）１つもしくは複数の円筒体（１）に文字・記号・イラスト等を印刷したラベル（２）を貼り付ける。
（ロ）筆記用具の外形を構成する透明な外側筒状部（３）内部とインクパイプ（４）の間の空間に、上記円筒体（１）内部にインクパイプ（４）を通すようにして、円筒体（１）を配置する。
本発明は以上の構成よりなるメッセージ機能付筆記用具である。
【発明の効果】
【０００６】  本発明によれば従来の発明にはない、以下の効果を得ることができる。
文字、記号や図絵を印刷した部分は筆記用具内部に配置され、透明な外側筒状部を経由して表示されるため、筆記用具の使用時に外側筒状部にどのような頻度で触れられようとも、その接触や摩擦の影響を、内部の文字、記号や図絵が与えられることはないので、従来の方法くらべ、格段に文字、記号や図絵を維持することができる。【０００７】  また文字・記号・イラスト等が表示された円筒体（１）は透明な外側筒状部（３）の内部に配置されるため、あたかもレンズを通したかのように文字・記号・イラスト等が、表示されるので、従来の発明にはない立体感を表現することができる。【０００８】  さらには、円筒体（１）はインクパイプ（４）を中に通すように配置され、筆記用具内部の空間の中にあるので、円筒体（１）のサイズや、中に配置する円筒体（１）の個数により、表示された文字・記号・イラストが多種多用に遊動するので、メッセージの表現力が格段に向上する。
【発明を実施するための最良の形態】
【０００９】  以下、本発明を実施するための最良の形態について説明する。
筆記用具の外側筒状部（３）の部分は透明度の高い物質を使用する。【００１０】  表現したいメッセージは、図１のように、該当する文字、記号や図絵をラベル（２）に印刷し、円筒体（１）にメッセージを印刷したラベル（２）を貼り付ける。【００１１】  さらに図２のように、筆記用具の内部にあるインクパイプ（４）を円筒体（１）の中に通すようにして、円筒体（１）を筆記用具の外側筒状部（３）とインクパイプ（４）の間の空間に配置する。最終的には透明な外側筒状部（３）の内部で文字や記号、図絵が表示された円筒体（１）が表示される形となる。
本発明は以上のような構造である。【００１２】  文字や記号、図絵を表示する円筒体（１）は一つだけ使用しても、もちろんよいが、円筒体（１）の長さを調節することにより、図３のように、一つの筆記用具内に複数の円筒体（１）を入れても、もちろんよい。
これにより、より多種多様なメッセージ性を表現する事ができる。【００１３】  なお、本発明の技術範囲は上記実施の形態に限定されるものではなく、本発明の趣旨を逸脱しない範囲において種々の変更を加えることが可能である。
【産業上の利用可能性】
【００１４】  筆記用具に表現力の高いメッセージ機能を付加することができる。
【図面の簡単な説明】
【００１５】
【図１】本発明の一実施形態に係る正面図である。
【図２】本発明の一実施形態に係る正面図である。
【図３】本発明の一実施形態に係る正面図である。
【符号の説明】
【００１６】１  円筒体
２  ラベル
３  外側筒状部
４  インクパイプ
【図１】
2010120361.tif 000003
【図２】
2010120361.tif 000004
【図３】
2010120361.tif 000005
(57)【要約】      （修正有）【課題】大きな文字、図形、写真等を印刷する事が出来る。平形の軸を持つペンを提供する。【解決手段】段ボールを中央縦に割りを入れた長形に打ち抜き、その割りに沿って段ボールの波状の穴部分に筆記用の芯を差し込み、印刷したシールを貼る。【選択図】図２
2010120362.tif 000002
【特許請求の範囲】
【請求項１】
段ボールを中央縦に割りを入れた長形に打ち抜き、その割りに沿って段ボールの波状の穴部分に筆記用の芯を差し込み、シールを貼った平形のペン
【発明の詳細な説明】
【技術分野】
【０００１】この発明は、段ボールを中央縦に割りを入れた長形に打ち抜き、その割りに沿って段ボールの波状の穴部分に筆記用の芯を差し込み、シールを貼った平形のペンに関する
【背景技術】
【０００２】従来の筆記用具は、鉛筆芯やボールペン芯を通す軸としてプラスチックまたは木、竹、金属、紙管が知られている。
【発明の開示】
【発明が解決しようとする課題】
【０００３】現在使用されている筆記具は、円形または角形の棒状のものである為、そこに印字、印刷できるデザインが制限される。
ＱＲコード等の平らな面を必要とするものが印刷出来ず、ロゴマーク、社名等も小さくなりアピール効果は小さい。
その為、ギフト用品、宣伝用品としては広告効果が低い。
【課題を解決するための手段】
【０００４】段ボールを中央縦に割りを入れた長形に打ち抜き、その割りに沿って段ボールの波状の穴部分に筆記用の芯を差し込み、シールを貼る。
段ボールの平面を生かした構造であり平形なので、ＱＲコード、大きな文字、図形、写真等を印刷する事が出来る。
【発明の効果】
【０００５】芯、段ボール、シールの組み合わせにより通常の筆圧では折れる事は無い。
中央縦に割を入れる事により、製造工程で芯の差込みが容易となる。
芯先に垂直な力を加えると、芯がスライドして芯先が段ボールの中に納まり芯先端を覆うキャップを必要としない。反対に芯先を出す時には、芯後方部に垂直な力を加える。
このような簡単な構造であり、製造工程も少なく、廉価に製造する事が可能となる。
それに加え、印刷したシールを平面的に貼れる為、ＱＲコードや大きな文字、図形、写真等が印刷出来るので、宣伝用、ギフト用品として配布可能な商品となる。
再生紙である段ボールを使い、環境に配慮した製品を提供できる。
【発明を実施するための最良の形態】
【実施例】
【０００６】段ボールを中央縦に割りを入れた長形に打ち抜き、その割りに沿って段ボールの波状の穴部分に筆記用の芯を差し込み、これに印刷したシールを貼る。
【産業上の利用可能性】
【０００７】薄く平型のペンであり、手帳、メモ用紙等に挟んでもゴロゴロせず違和感が無く、また摩擦面が大きい為、簡単には落ちず携帯するのに便利である。
広い幅の平らな面を持たせる事が出来る事から印刷出来るデザインの幅が広がる。
再生紙である段ボールを使い、環境に配慮した製品が提供できる。
この様な点から宣伝配布用品としての用途が充分に可能である。
【図面の簡単な説明】
【図１】本発明の縦側面図である。
【図２】本発明の斜視図である
【符号の説明】
１  筆記用の芯
２  打ち抜いた段ボール
３  シール
４  割り
【図１】
2010120362.tif 000003
【図２】
2010120362.tif 000004
(57)【要約】【課題】乾燥丸太に螺旋状圧縮をかけた表面硬化加工材は、複雑エネルギーを吸収、緩和作用効果を発揮することから、主体構造、柱部の骨組み構造に適する部材の提案である。【解決手段】乾燥丸太表面硬化加工材は、垂直加重の重力や複雑エネルギーからくる耐震に強靭な耐久性を実現する組み合わせの骨組み構造を配慮したことを特徴とする。【選択図】図２
2010120363.tif 000002
【特許請求の範囲】
【請求項１】
乾燥丸太木材に螺旋状の圧縮をかけた圧縮成形加工材の製造方法。
【請求項２】
乾燥丸太木材に右螺旋、左螺旋、単一螺旋、二重螺旋、同一方向螺旋、双方向螺旋のいずれか、又は組み合わせて圧縮をかけ高密度の圧縮成形工程を特徴とした圧縮成形加工材。
【請求項３】
請求項１、２によって成形加工された表面硬化処理の丸太木材。
【請求項４】
請求項３における加工材に無機質含有塗料処理により、防火、防水、防腐等の劣化防止を特徴とする柱脚構造。
【発明の詳細な説明】
【技術分野】
【０００１】本発明は、乾燥丸太木造建築資材、高度木材加工、間伐材などに耐震性を含んで構成された柱脚に用いる木材に関するものである。
【背景技術】
【０００２】木材には繊維方向に沿って、ひび割れ、引き裂かれ状態の性質があることから、ドリフトピンの打ち込み、連続式の蒸気噴射プレス等の試みがある。
【発明の開示】
【発明が解決しようとする課題】
【０００３】本発明は、螺旋方向に重力が働き、分散、緩和、弾力による変形が防止できる。
上記従来対策にとどまらず、耐震対策、曲がり，ねじれに対する強度が必要とされる木造建築の構造材などに圧縮形成を施すことにより，弾性特性を備えた補強構造部材の開発である。
【問題を解決するための手段】
【０００４】この発明は、螺旋方向柱脚部材耐震性を含んで構成されたことを特徴とする。
【０００５】耐震柱と垂直の重力を支持する支持柱と設計仕様配置することを特徴とする。
【０００６】地震エネルギーの作用は上記によって吸収され、弾力によって変形が防止される。
【発明の効果】
【０００７】本発明の、この強化材は、寸法の安定性と適正な含水率の維持加工を特徴とする。
天然素材を良好に維持できる本発明は、特に国内産の杉の間伐材用途拡大を視野に入れたものであり、費用対効果の期待と健全な環境効果が得られる。
【発明を実施するための最良の形態】
【０００８】木材の表面を圧縮することにより表層部の組織密度が高まり表面硬化材が得られる。螺旋状圧縮効果により、くぼみの連続加工によって表面面積が増加し、表面密度が増加される結果、割れ、反り，ゆがみ、たわみ、ネズレ、圧力等の外部からの影響を減少することによって強い均質した、安定化がはかれた加工木材を提供する。
【産業上の利用可能性】
【０００９】本発明は、木材表面の極限をきわめた木材表面硬化に関する加工技術である。
【図面の簡単な説明】
【００１０】
【図１】乾燥丸太の螺旋状圧縮構造の断面
【図２】乾燥丸太の螺旋状圧縮柱の仕様構造  （物理的作用効果）
【図３】乾燥丸太の螺旋状圧縮横部材の仕様構造  （交互使用で物理的作用効果）
【符号の説明】
１、乾燥丸太
２、乾燥丸太に螺旋状の表面硬化加工
【図１】
2010120363.tif 000003
【図２】
2010120363.tif 000004
【図３】
2010120363.tif 000005
(57)【要約】【課題】筆記用具の機能を維持しつつ、携行性の高い芳香機能を有する香料用容器としての機能を付加することができる方法を提供すること。【解決手段】筆記用具の外形を構成する、外側筒状部（１）内の空間に、砂状物質（２）を充填し、その前後には吸収体（４）を配置する。液体香料（３）は砂状物質（２）のある空間に砂状物質（２）と混在するように充填し、外側筒状部（１）には芳香口（５）を設けることを特徴とする。【選択図】図１
2010120360.tif 000002
【特許請求の範囲】
【請求項１】
（イ）筆記用具の外形を構成する、外側筒状部（１）内の空間に、砂状物質（２）を充填する。
（ロ）充填された砂状物質（２）の、その前後には吸収体（４）を配置する。
（ハ）液体香料（３）は砂状物質（２）のある空間に砂状物質（２）と混在するように充填する。
（ニ）外側筒状部（１）には蒸発した香料が放出される芳香口（５）を設ける。
以上の構成よりなる、芳香機能付筆記用具。
【発明の詳細な説明】
【技術分野】
【０００１】  本発明は、筆記用具の内部に、液体香料（３）と砂状物質（２）を設けた芳香機能付筆記用具に関するものである。
【背景技術】
【０００２】  従来、携帯用の芳香器具は容器の中に液体香料もしくは、固形香料を封入し、容器に設けられた芳香口や、容器の蓋を開けることによって、蒸発した匂いを放出するものであった。
【発明の開示】
【発明が解決しようとする課題】
【０００３】  しかしながら、上記従来の方法には次のような欠点があった。
液体の香料を封入したものは、外部からの圧力や慣性力に弱く、またちょっとした隙間から流出しやすいため、液漏れの危険性が高く、容器やその周囲を液体香料そのものでよごしてしまう危険性が高い。【０００４】  また、液体の香料は空気との化学反応が高く、揮発性も高いため、専用の保存用の容器から、携帯用の容器に移した場合、香料自体の品質も劣化し、蒸発も早いため、長時間の携帯には向いていない。【０００５】  これを解決するために、吸収体にしみこませる事で解決する発明もあるが、その場合吸収体に液体香料が付着し続けるため、匂いの異なる液体香料を交換するが困難となる。【０００６】  固形の香料を使用した場合、ほとんどの場合、固形化する過程で科学的措置を講ぜざるを得ず、天然の香料の成分・品質を保持したままで携行することは著しく困難である。
本発明は以上のような欠点をなくすためになされたものである。
【課題を解決するための手段】
【０００７】  本発明は、上記課題を解決するため、以下の手段を採用する。
（イ）筆記用具の外形を構成する、外側筒状部（１）内の空間に、砂状物質（２）を充填する。
（ロ）充填された砂状物質（２）の、その前後には吸収体（４）を配置する。
（ハ）液体香料（３）は砂状物質（２）のある空間に砂状物質（２）と混在するように充填する。
（ニ）外側筒状部（１）には蒸発した香料が放出される芳香口（５）を設ける。
本発明は以上の構成よりなる芳香機能付筆記用具である。
【発明の効果】
【０００８】  本発明によれば従来の発明にはない、以下の効果を得ることができる。
液体香料（３）と砂状物質（２）が混在することにより、液体香料（３）・砂状物質（２）相互に分子間力が働き、単なる液体香料（３）の液体状の状態より、粘性を有して液体香料（３）と砂状物質（２）の流動性が低くなる。これにより、容器の隙間から液体香料（３）が漏れ出す危険性が著しく低下する。【０００９】  さらには砂状物質（２）の間隙を毛細管現象によって、液体香料自体は（３）砂状物質（２）の存在する範囲に隅々まで広がりながら、上昇していくので、効率のよい蒸発効果を実現することができる。【００１０】  また、この時液体香料（３）は砂状物質（２）と単に混在しているだけで、砂状物質（２）に吸収されているわけではないので、液体香料（３）が蒸発してしまえば、残存する液体香料（３）は皆無に等しくなるので、別の匂いをもつ液体香料（３）を後から追加しても、前の液体香料（３）と混ざり合うことはなくなる。【００１１】  液体香料（３）をそのままの状態で使用することができるので、固体香料と異なり、香料そのものの成分に過剰な科学的措置を加えることはないので、香料本来の成分を損なうことなく携行することが出来る。
【発明を実施するための最良の形態】
【００１２】  以下、本発明を実施するための最良の形態について説明する。
筆記用具の外形を構成する、外側筒状部（１）内の空間に、砂状物質（２）を充填する。その際充填された砂状物質（２）の、その前後には吸収体（４）を配置する。【００１３】  吸収体（４）は、砂状物質（２）が流出せずに蒸発した香料成分が通過するという目的達成できれば、その材質は問わない。【００１４】  外側筒状部（１）には蒸発した液体香料（３）の成分が通過するに充分な大きさの芳香口（５）を設ける。【００１５】  その芳香口（５）もしくは、筆記用具の部品をはずすことにより生じる間隙を利用して、液体香料（３）を流し込む。この時吸収体（４）を取り外して液体香料（３）を流し込んでもよいし、そのまま吸収体（４）を通過させながら、砂状物質（２）のある空間に到達させても良い。【００１６】  液体香料（３）はこうすることにより、砂状物質（２）のある空間に砂状物質（２）と混在するように充填される。【００１７】  芳香口（５）はそのまま開口させたままでもよいが、その部分に覆いとなる部品を取り付けたり、蓋となる部品を取り付けてもよい。
使用する際は、開口部から蒸発してくる芳香成分の匂いをかぐことにより、携行性の高い香料容器として使用させることができ、普通に筆記用具として使用することもできる。【００１８】  なお、本発明の技術範囲は上記実施の形態に限定されるものではなく、本発明の趣旨を逸脱しない範囲において種々の変更を加えることが可能である。
【産業上の利用可能性】
【００１９】  筆記用具としての機能を損なうことなく、携行性の高い芳香機能を有する香料容器としての機能を、筆記用具に付加することができる。
【図面の簡単な説明】
【００２０】
【図１】本発明の一実施形態に係る断面図である。
【符号の説明】
【００２１】１  外側筒状部
２  砂状物質
３  液体香料
４  吸収体
５  芳香口
【図１】
2010120360.tif 000003
(57)【要約】【課題】  従来真珠層を有する貝で、夜光貝は平坦な部位を切出して螺鈿細工の材料に用いられたり、阿古屋貝の平らな部位を両面使用した身飾品の制作に用いている例は有るが貝本体を工芸品として真珠層化した物は無く、又鮑のような凹凸の有る表面を真珠層化した物は無い。酸類中に浸漬させて貝殻表皮を溶解させるが鮑表皮の厚さの違いから溶解速度の違いが生じる。【解決手段】  露出した真珠層を保護する為に油を塗布して油膜をほどこし保護する。又溶解速度の違いを解決するためには、サンドブラスト（サンドペーパーなどを用いて）溶解した部位を剥離させ油膜をほどこす。【選択図】なし【特許請求の範囲】
【請求項１】
真珠層を有する貝類の外殻を酢酸及びその他の酸類中に浸漬し外殻皮全面を溶解した後サンドブラスト等を用いて剥離除去し外殻表層全面を真珠層に至らしめて成形材料組成物とする。
【発明の詳細な説明】
【技術分野】
【０００１】  本発明は真珠層を有する貝類の外殻表皮全面を真珠層に至らしめて成形材料組成物とする事に有る。
【背景技術】
【０００２】  従来、貝殻の有効利用を目的としたものとして特開平６−４７３０３号公報記載の発明が提案されている。この従来例は、貝殻の真珠層から薄片状粒体を得ることにより、装飾用途に利用する事を目的とするもので、薄片状粒体は低級アルコール中で真珠層を有する貝殻を破砕して得られる。【０００３】  また特開２００１−５５５２４では、貝肉付貝殻を塩酸中に浸漬攪拌して貝肉および殻皮を剥離除去し、この後残余の貝殻を粉体化する貝殻粉の製造方法として提案されている。
【発明が解決しようとする課題】
【０００４】  しかし上述したいずれの従来例にあっても真珠層を有する貝殻本体を破砕して得られる物で、本発明では貝殻の外殻表皮のみを剥離除去する事で成形材料組成物とする事に有る。
【課題を解決するための手段】
【０００５】  真珠層を有する貝殻を酢酸及びその他の酸類中に浸漬し外殻皮全面を溶解した後、剥離除去する。
【発明の効果】
【０００６】  外殻表皮を取り去る事で外殻全面を真珠層に至らしめる。
【発明を実施するための最良の形態】
【０００７】  真珠層が露出した内側部位を保護し又外皮が溶解して真珠層が露出した部位を保護するためにサラダ油を用いた。それは再度酢酸を利用するために有り廃棄物を出さない事に有る。
【実施例】
【０００８】  サラダ油を用いて油膜を塗布した貝殻を酢酸中に浸漬した結果露出した真珠層の溶解が弱まった。
【産業上の利用可能性】
【０００９】  身飾品の制作に有用ならしめ又そのまま置物としても美しい工芸品と成る。
(57)【要約】【課題】簡易な着脱操作でパレット運搬と円筒体支持運搬の切り替えができ、しかもアタッチメントの保管など面倒な作業が不要なフォークリフト用アタッチメントを提供することを目的とする。【解決手段】フォークリフト用アタッチメントは、フォークリフトのフォークへの取付部と、該取付部に対して回転軸により回動自在に取付けられた支持アームとからなり、前記支持アームは物品若しくは物品に取付けられたシャフトを支持する受け部とフォークリフト若しくはフォークへの係止部を備えたことを特徴とする。【選択図】      図１
2010120757.tif 000002
【特許請求の範囲】
【請求項１】
フォークリフトのフォークへの取付部と、該取付部に対して回転軸により回動自在に取付けられた支持アームとからなり、前記支持アームは物品若しくは物品に取付けられたシャフトを支持する受け部とフォークリフト若しくはフォークへの係止部を備えたことを特徴とするフォークリフト用アタッチメント。
【請求項２】
フォークリフトのフォークへの取付部と、該取付部に対して回転軸により回動自在に取付けられた支持アームとからなり、前記支持アームは物品若しくは物品に取付けられたシャフトを支持する受け部とフォークリフト若しくはフォークへの係止部を備えてなるフォークリフト用アタッチメントを前記取付部にて前記フォークの基部へ取付けたことを特徴とするフォークリフト。
【発明の詳細な説明】
【技術分野】
【０００１】
本発明は、シャフトで支持された物品やロールなどの円筒体を支持するフォークリフト用アタッチメントと、そのアタッチメントを取り付けたフォークリフトに関するものである。
【背景技術】
【０００２】
通常、フォークリフトは運搬する物品を載置した状態のパレットにフォークを差し込んで持ち上げて運搬している。このようなフォークリフトでロールやシャフトで支持されている円筒形物品などの円筒体部分を支持して運搬する際には、円筒体が転がらない様に円筒体の受け台を設けたパレットを使用したり、円筒体の受け構造を備えた専用のフォークを用いて運搬していた。しかし、受け台を設けたパレットでは載置した円筒体の移動はできるが円筒体のみを持ち上げて取り扱うことができない。また、専用のフォークを用いる場合にはその都度フォークを交換しなければ円筒体とパレット積載物の両方の運搬ができないという問題があった。
【０００３】
このような問題を解決するため特許文献１には、通常のパレット用フォークにシャフトなどの円筒体の受け構造を有するアタッチメントを装着して円筒体を支持して運搬する方法が記載されている。しかしこの方法は、専用フォークへの交換よりは作業の緩和が図られているものの、パレット運搬から円筒体運搬に変更する度にアタッチメントの装着、位置決め、固定などの作業が必要であり、また、パレット運搬に戻す際には装着したアタッチメントの取り外し作業やアタッチメントの保管など面倒な作業があり改善が望まれていた。
【特許文献１】特開平８−８１１９３号公報
【発明の開示】
【発明が解決しようとする課題】
【０００４】
本発明は、このような状況を鑑みてなされたものであり、簡易な着脱操作でパレット運搬と円筒体支持運搬の切り替えができ、しかもアタッチメントの保管など面倒な作業が不要なフォークリフト用アタッチメントおよびフォークリフトを提供するものである。
【課題を解決するための手段】
【０００５】
請求項１ 記載のフォークリフト用アタッチメントは、フォークリフトのフォークへの取付部と、該取付部に対して回転軸により回動自在に取付けられた支持アームとからなり、前記支持アームは物品若しくは物品に取付けられたシャフトを支持する受け部とフォークリフト若しくはフォークへの係止部を備えたことを特徴とする。
【０００６】
請求項２の記載のフォークリフトは、フォークリフトのフォークへの取付部と、該取付部に対して回転軸により回動自在に取付けられた支持アームとからなり、前記支持アームは物品若しくは物品に取付けられたシャフトを支持する受け部とフォークリフト若しくはフォークへの係止部を備えてなるフォークリフト用アタッチメントを前記取付部にて前記フォークの基部へ取付けたことを特徴とする。
【発明の効果】
【０００７】
本発明のフォークリフト用アタッチメント用いたフォークリフトによれば、上記レバーを垂直位置に係止した状態で通常のパレット運搬を行い、シャフトなど円筒体を支持して運搬する時にはレバーを水平位置に倒すだけで切り替えができるため頻繁な切り替えが必要な場合でも能率を低下させずに運搬作業が実施できる。
【発明を実施するための最良の形態】
【０００８】
以下図面を参照して本発明の実施の一例を説明する。
〔実施例〕
図１は、本発明のフォークリフト１の構造を説明する模式図である。フォークリフト１はパレット運搬用のフォーク２に受け部６を有する支持アーム３が取り付けられ、受け部６でロール９を貫通してロール９を支持するシャフト４を支持して運搬する。
【０００９】
図２は円筒体を運搬する場合と、パレットを運搬する場合のフォークの形態を説明する図である。図２（ａ）は円筒体を運搬する場合の図で支持アーム３を水平位置としフォーク２の水平部に受け部６が当接した状態で円筒体であるシャフト４を支持している。シャフト４を受ける部分の形状は図に示す様な半円形でもよく、他の形状としてＵ字形やＶ字形でもよい。図２（ｂ）はパレットを運搬する場合で、支持アーム３を垂直にした位置で係止部７によりフォーク２の垂直部に係止されている。フォーク２の水平部はパレット５に差し込まれパレットと共にパレット上に載置された物品（図示せず）を運搬する。
【００１０】
図３は下部取り付け部８を説明する図で、回転軸１０によって支持アーム３を水平から垂直位置まで回動させる機構がＬ字形フォーク２の隅部にボルト１３等で固定され、支持アーム３はフォーク２に固定された下部取り付け部８を介してフォーク２に接続されている。
【００１１】
図４は支持アーム３を垂直位置で係止する係止部を説明する図で、支持アーム３に取り付けられたチェーンをフォーク２の垂直部に掛けて係止する例を示す。係止部は支持アーム３がフォークリフト作業中に倒れないように留めておければよく、チェーン以外にフックなど着脱容易な係止手段を適用してもよい。
【００１２】
以上説明した様に、本発明によれば簡単な構造、機構でフォークリフトのパレット運搬とシャフト支持運搬を短時間で切り替えて運搬できる。
【図面の簡単な説明】
【００１３】
【図１】本発明のフォークリフト実施形態の一例を示す模式図である。
【図２】円筒体運搬とパレット運搬のフォークの形態を説明する図。
【図３】下部取り付け部の一例を説明する図。
【図４】係止部の一例を説明する図。
【符号の説明】
【００１４】
１      フォークリフト
２      フォーク
３      支持アーム
４      シャフト
５      パレット
６      受け部
７      係止部
８      下部取り付け部
９      ロール
１０      回転軸
１１      上部取り付け部
１２      取り付け部
１３      ボルト
【図１】
2010120757.tif 000003
【図２】
2010120757.tif 000004
【図３】
2010120757.tif 000005
【図４】
2010120757.tif 000006